(57)【要約】【課題】カメラの開閉可能な蓋部材とパトローネ室との間の空間を有効利用することによってより小型化が実現可能なカメラを提供する。【解決手段】カメラ１０においては、フィルムパトローネの装填を行うためにカメラ本体側に後蓋開閉軸５５を介して開閉可能に支持される後蓋ユニット６が配置されている。後蓋ユニット６には、背面中央にＬＣＤ表示部と右側後方部に電池室６２ｄと上記ＬＣＤ表示部や電池回路部が実装されるＡＴ−ＦＰＣ１１が内蔵されるが、後蓋ユニット６の右方（背面から見て）内部であって、電池室６２ｄの外壁部と圧板６７の右端との間にフィルムパトローネ１４３のフィルムガイド部１４３ａと後蓋内壁とで囲まれる三角柱状空間Ｓ０　が形成される。その三角柱状空間Ｓ０　に上記ＡＴ−ＦＰＣ１１１のカメラ本体側ＦＰＣとの電気的接続部やＡＴ−ＦＰＣ１１１に実装される電気要素が配置されている。【選択図】　　図６
2004020864.tif 000002
【特許請求の範囲】
【請求項１】
略円筒形状をしたフィルム収納部とこのフィルム収納部から延出して形成されたフィルム引き出し口を有するフィルムパトローネを用いるカメラにおいて、
上記フィルムパトローネを、上記フィルム引き出し口へのガイド部の延出方向とアパーチャとが所定量傾斜した状態で収納可能なパトローネ室と、
上記パトローネ室にフィルムパトローネを挿脱するための開口を開閉するための蓋部材と、
を具備し、上記パトローネ室に収納された上記フィルムパトローネの外形と上記蓋部材との間に形成される略三角柱状の空間内に配される電気要素収納部を有することを特徴とするカメラ。
【請求項２】
上記電気要素収納部には、電気基板の接続部が配されることを特徴とする請求項１に記載のカメラ。
【請求項３】
上記電気要素収納部は、フィルムパトローネの軸方向で複数箇所設けられることを特徴とする請求項１に記載のカメラ。
【請求項４】
１３５型フィルムパトローネを用いるカメラにおいて、
上記フィルムパトローネを、該フィルムパトローネが有するフィルム引き出し口へのガイド部をアパーチャに対して所定量傾いた状態で収納可能なパトローネ室と、
上記アパーチャと略平行に形成された外装面部を有し、上記フィルムパトローネを上記パトローネ室に挿脱するための開口を開閉するための蓋部材と、
上記蓋部材上であって、上記パトローネ室の後方に配される電池室と、
を具備し、上記パトローネ室に収納されたフィルムパトローネの外形と上記外装面部の内側と上記電池室とによって囲まれた略三角柱状の空間に配される電気要素収納部を有することを特徴とするカメラ。
【請求項５】
上記電気要素収納部は、フィルムパトローネの軸方向で複数箇所設けられていることを特徴とする請求項４記載のカメラ。
【請求項６】
上記電気要素収納部は、カメラの上側と下側とに設けられており、フィルムパトローネの軸方向で上記電気要素収納部間の位置にフィルムパトローネを観察するための観察窓が配されることを特徴とする請求項５記載のカメラ。
【発明の詳細な説明】
【０００１】
【発明の属する技術分野】
本発明は、カメラの開閉可能な蓋部材の構造に関する。
【０００２】
【従来の技術】
従来よりカメラの小型化を図るための各種レイアウトが提案されている。例えば、特開平６−２３５９６２号公報や、特開平７−２０９７３８号公報に開示されたカメラは、通常、フィルムパトローネのフィルム引き出し口に通じるフィルム引き出しガイド部の延出方向をアパーチャと略平行となる姿勢で上記フィルムパトローネを装填するパトローネ室に対して、上記フィルム引き出しガイド部を上記アパーチャに対し傾けてフィルムパトローネが収納されるようにしたものである。
【０００３】
上記カメラは、上述の配置を採用することによりカメラ外形の横方向寸法を小さくすることを可能にしたものである。
【０００４】
【発明が解決しようとする課題】
しかしながら、上述の特開平６−２３５９６２号公報や特開平７−２０９７３８号公報に開示されたものでは、フィルムパトローネを傾ける構造が示されているのみであり、カメラの更なる小型化を図るための適切な部品配置やその構造については何ら示されていない。
【０００５】
本発明は、上述の問題を解決するためになされたものであり、カメラの開閉可能な蓋部材とパトローネ室との間の空間を有効利用することによってより小型化が実現可能なカメラを提供することを目的とする。
【０００６】
【課題を解決するための手段】
本発明の請求項１記載のカメラは、略円筒形状をしたフィルム収納部とこのフィルム収納部から延出して形成されたフィルム引き出し口を有するフィルムパトローネを用いるカメラにおいて、上記フィルムパトローネを、上記フィルム引き出し口へのガイド部の延出方向とアパーチャとが所定量傾斜した状態で収納可能なパトローネ室と、上記パトローネ室にフィルムパトローネを挿脱するための開口を開閉するための蓋部材とを具備し、上記パトローネ室に収納された上記フィルムパトローネの外形と上記蓋部材との間に形成される略三角柱状の空間内に配される電気要素収納部を有する。
【０００７】
本発明の請求項２記載のカメラは、請求項１に記載のカメラにおいて、上記電気要素収納部には、電気基板の接続部が配される。
【０００８】
本発明の請求項３記載のカメラは、請求項１に記載のカメラにおいて、上記電気要素収納部は、フィルムパトローネの軸方向で複数箇所設けられる。
【０００９】
本発明の請求項４記載のカメラは、１３５型フィルムパトローネを用いるカメラにおいて、上記フィルムパトローネを、該フィルムパトローネが有するフィルム引き出し口へのガイド部をアパーチャに対して所定量傾いた状態で収納可能なパトローネ室と、上記アパーチャと略平行に形成された外装面部を有し、上記フィルムパトローネを上記パトローネ室に挿脱するための開口を開閉するための蓋部材と、上記蓋部材上であって、上記パトローネ室の後方に配される電池室とを具備し、上記パトローネ室に収納されたフィルムパトローネの外形と上記外装面部の内側と上記電池室とによって囲まれた略三角柱状の空間に配される電気要素収納部を有する。
【００１０】
本発明の請求項５記載のカメラは、請求項４に記載のカメラにおいて、上記電気要素収納部は、フィルムパトローネの軸方向で複数箇所設けられている。
【００１１】
本発明の請求項６記載のカメラは、請求項５に記載のカメラにおいて、上記電気要素収納部は、カメラの上側と下側とに設けられており、フィルムパトローネの軸方向で上記電気要素収納部間の位置にフィルムパトローネを観察するための観察窓が配される。
【００１２】
【発明の実施の形態】
以下、本発明の実施の形態を図に基づいて説明する。
図１は、本発明の一実施形態であるカメラの要部の分解斜視図である。図２，３は、上記カメラを背面下方、または、上方側から見た斜視図であって、図２は、電池蓋を閉じた状態を示し、図３は、電池蓋を開放した状態を示している。図４は、上記カメラのレンズ光軸より上方部の横断面図であり、図５は、上記カメラのレンズ光軸を通る中央部の横断面図であり、図６は、上記カメラのレンズ光軸より下方部の右側（背面から見て）部分の横断面図である。図７，８は、上記カメラを構成する後蓋ユニット６の分解斜視図であって、図７は、前面側から見た図で、図８は、背面側から見た図である。図９は、上記後蓋ユニットを構成する後蓋内枠の軸受け部回りの成形金型の型割図である。図１０，１１，１２は、上記後蓋内枠に電池蓋，電池内枠を組み付ける手順を示す図である。
【００１３】
なお、以下の説明において、カメラの前後方向（Ｚ方向、撮影レンズ光軸Ｏと平行な方向）は、カメラの被写体側を前方とし、カメラの背面側を後方とする。左右方向（Ｘ方向）は、カメラ背面側から見た方向で示す。なお、上下方向は、Ｙ方向とする。
【００１４】
図１に示すように本実施形態のカメラ１０は、主にカメラ本体１と、レンズ鏡筒ユニット２と、ファインダユニット３と、ストロボユニット１２と、前カバーユニット４と、後カバーユニット５と、蓋部材である後蓋ユニット６とを有してなる。
【００１５】
上記カメラ本体１には、中央凹部に配されるアパーチャ部１ａと、本体右側に配され、１３５型フィルムパトローネ（以下、パトローネと記載する）１４３を装填可能なパトローネ室１ｂ（図４）と、本体左側に配されるスプール室１ｃと、パトローネ室１ｂの右外側に配され、２つのコンデンサ１３３が収納されるコンデンサ室１ｄと、コンデンサ室１ｄの壁面に対向して設けられ、本端子台の内面が装填コンデンサ１３３と接するＦＰＣ接続用の接続端子台１ｆと、スプール室側にパノラマ撮影切り換えギヤを介して駆動されるパノラマ押さえ１３等が設けられている。
【００１６】
そして、カメラ本体１には、後述するメインフレキシブルプリント基板のＭ−ＦＰＣ（メインＦＰＣ）１０１等の配線基板が組み込まれる。なお、フレキシブルプリント基板は、電気要素が実装される電気基板であって、上記フレキシブルプリント基板は、以下、ＦＰＣと記載する。
【００１７】
上記パトローネ室１ｂは、本体後方側に開口している。上記開口を通してパトローネ室１ｂに装填されるパトローネ１４３は、略円筒形状をしたフィルム収納部とこのフィルム収納部からフィルムガイド部１４３ａに沿って延出した位置にフィルム１４４が引き出されるフィルム引き出し口１４３ｂが設けられている。なお、上記パトローネ１４３は、そのフィルム巻回軸方向が上下方向（Ｙ方向）に沿った状態で装填される。
【００１８】
上記パトローネ１４３がパトローネ室１ｂに装填された場合、フィルムガイド部１４３ａが後カバー内枠５２の突起５２ｆと後蓋ユニット６側のＦＰＣ押さえ板６６の右方突出部６６ａおよびＦＰＣカバー板７４との間に配され、位置決めされる（図６）。そして、後蓋ユニット６を閉じることで後蓋ユニット６に配された後述する遮光用パトローネモルト７７により装填されたパトローネ１４３は、カメラ本体側に付勢されて保持される。なお、上記位置決め状態では、パトローネ１４３は、フィルムガイド部１４３ａのフィルムガイド方向がアパーチャ１ａのフィルム当接面に対して傾斜する方向に沿った姿勢で保持される。
【００１９】
上記パトローネ室１ｂの前方外側には、装填されたパトローネ１４３のＤＸデータ読み取り用接片であるＤＸ接片群１５が固着されている。
【００２０】
上記スプール室１ｃには、内部に駆動モータが収納される中空形状のフィルム巻き上げ用のスプール軸１１が配設される。
【００２１】
また、上記スプール室１ｃの上部には、ストロボユニット１２が取り付けられている。
【００２２】
上記コンデンサ室１ｄには、Ｃ−ＦＰＣ（コンデンサＦＰＣ）１０５に実装されたストロボ用メインコンデンサとサブコンデンサからなる２つのコンデンサ１３３（図１３）が接着して収納される。
【００２３】
上記接続端子台１ｆは、上下方向位置に２つのビス穴１ｇ，１ｈと、ＦＰＣ接続用接続パターン部を位置決めする４つの位置決めピンを有しており、カメラ本体１に対して底面部のみで連結されて形成される。この接続端子台１ｆにて各ＦＰＣを接続する場合、上記接続端子台１ｆを上記コンデンサ室１ｄに収納された２つのコンデンサ１３３の外形に接着剤で固定し、その固定状態で２本のビスをビス穴１ｇ，１ｈに螺着してＦＰＣの接続パターン部の接続が行われる（図１３）。
【００２４】
上記レンズ鏡筒ユニット２は、レンズ鏡筒本体２１と、上記レンズ鏡筒本体２１に進退自在に支持される移動枠２２と、移動枠２２に進退自在に支持され、撮影レンズ２４を保持するレンズ保持枠２３とを有してなる。上記レンズ鏡筒本体２１は、ビス２０１をカメラ本体１のビス穴１ｉに螺着することによりカメラ本体１のアパーチャ１ａ前方に固定支持される（図４）。
【００２５】
上記ファインダユニット３は、ファインダ本体３１と、ファインダ光学系３２と、後述するＦ−ＦＰＣ（ファインダ用ＦＰＣ）１０３とを有してなる。
【００２６】
上記ファインダユニット３は、ビス２０２をカメラ本体１のビス穴１ｅに螺着することによりカメラ本体１の上方に固定支持される。
【００２７】
上記前カバーユニット４は、金属板からなるカメラ前面部を覆う外装部材である前カバー４１と、合成樹脂部材からなる前カバー４１を取り付けるための取り付け部材であって、前カバー４１の内側に接着固定される前カバー内枠４２と、撮影レンズ２４の前面を開閉し、保護するレンズバリア４３とを有してなる。
【００２８】
上記前カバー４１は、カメラ本体１の前面部，レンズ鏡筒ユニット２，ファインダユニット３等を覆う外装部材であって、中央部にレンズバリア４３によって開閉され、かつ、レンズ鏡筒ユニット２の移動枠２２が撮影レンズ２４と共に進退する鏡筒開口部４１ａと、上方部に測光用窓部４１ｂ，ファインダ窓部４１ｃ，ＡＦ（測距）窓４１ｄ，ストロボ窓４１ｅ等が設けられる。
【００２９】
上記レンズバリア４３は、前カバー４１の前面にて左右方向にスライド自在に支持され、上記鏡筒開口部４１ａを開閉する。レンズバリア４３は、開、または、閉位置にあるとき、レンズバリア４３の内側に接着固定されたバリア内枠４４を介して、ボール部材４５によって接着されたバリア内枠４４を介して上記開閉位置でクリック保持される（図５）。
【００３０】
上記後カバーユニット５は、金属板からなる外装部材であって、カメラ本体１の後方外装面を形成し、ファインダユニット３等を覆う後カバー５１と、合成樹脂部材からなる後カバーを取り付けるための取り付け部材であって、後カバー５１の内側に接着固定される後カバー内枠５２と、ＦＰＣ間を電気接続するＨ−ＦＰＣ（接続用ＦＰＣ）１１０を保護し、覆うためのＦＰＣ保護カバー５６と、後蓋ユニット６を回動可能に支持する蓋開閉軸である後蓋開閉軸５５とを有してなる。
【００３１】
上記後カバー５１には、カメラ本体１のアパーチャ１ａ，パトローネ室１ｂ，スプール室１ｃを開放する後方開口部５１ａが設けられる。
【００３２】
そして、後カバー５１の上面部には、レリーズ操作釦５３と、ズーム操作釦５４が取り付けられ、また、左外側中央部には後蓋ユニット６の閉止用つまみ５７が取り付けられる。
【００３３】
上記後カバー内枠５２には、右端位置に貫通する２つの上，下軸受け部５２ｂ，５２ｃと、カメラ本体１のパトローネ室１ｂに下方から突出する突起５２ｆ（図６）と、コンデンサ室の一部５２ｄと、上記上，下軸受け部５２ｂ，５２ｃ近傍の位置に後述する各ＦＰＣ間の電気接続部材であるＨ−ＦＰＣ１１０を挿通させるための切り欠き５２ｅ（図６）とがそれぞれ設けられる。なお、上記突起５２ｆは、装填パトローネ１４３のフィルムガイド部１４３ａの回転を規制し、位置決めする突起部である。
【００３４】
上記上，下軸受け部５２ｂ，５２ｃは、貫通する軸穴を有し、上下方向（Ｙ方向）に沿った状態で右後方側に突出し、Ｈ−ＦＰＣ１１０の挿通部とストラップ挿通部のために軸方向に所定寸法離間させて設けられる。
【００３５】
上記上，下軸受け部５２ｂ，５２ｃには、その上，下軸受け部５２ｂ，５２ｃの外側に後述する後蓋ユニット６の後蓋内枠６２の２つの上，下軸受け部６２ｃが嵌め込まれ、後蓋開閉軸５５が上記各軸受け部６２ｃ，５２ｂ，５２ｃ，６２ｃの各軸穴を貫通して挿入される。
【００３６】
上記後蓋開閉軸５５により後カバーユニット５を介して後蓋ユニット６がカメラ右方向端部を中心にして開閉可能に支持される。なお、その嵌合状態で後蓋開閉軸５５は、上記軸受け部６２ｃ，５２ｂ，５２ｃのいずれかの軸穴に固着される。
【００３７】
上記後蓋開閉軸５５を上記軸受け部６２ｃ，５２ｂ，５２ｃ，６２ｃの軸穴に挿通させるとき、上，下軸受け部５２ｂ，５２ｃの間の離間スペースにＨ−ＦＰＣ１１０を切り欠き５６ｂに通した状態のＦＰＣ保護カバー５６が挿入される。そこで、後蓋開閉軸５５が下方側から後蓋軸受け部６２ｃ，下軸受け部５２ｃ，ＦＰＣ保護カバー５６の軸穴５６ａ，上軸受け部５２ｂ，後蓋軸受け６２ｃの順で挿通される。
【００３８】
なお、上記軸受け部５２ｃ，５２ｂ間の離間部のＦＰＣ保護カバー５６の上部にできる空きスペ−スは、ストラップ挿入スペースとなる。
【００３９】
なお、上記後蓋開閉軸５５の組み付けに先立って、後カバー内枠５２の軸受け部５２ｃ，５２ｂ間の離間部の一部に上記ＦＰＣ保護カバー５６が挿通して挿入され、そのＦＰＣ保護カバー５６の内側には湾曲状に上記Ｈ−ＦＰＣ１１０を挿通させる（図６）。上記Ｈ−ＦＰＣ１１０の一端側の上記Ｈ−ＦＰＣ１１０を折り返して形成される２重接続パターン１１０ａは、カメラ本体１内の接続端子台１ｆにて後述するＭ−ＦＰＣ１０１（メインＦＰＣ）等の接続パターン部に重畳させてビス２０８をビス穴１ｇに螺着して接続される。上記ビス２０８を螺着する場合、上記接続パターン部にコネクトゴム座１６、さらに、コネクトゴム座２０９を挟んだ状態で螺着される。なお、接続端子台１ｆにおいて、後述する他のＦＰＣとＭ−ＦＰＣ１１０の接続などが同様にビス２１０をビス穴１ｈにコネクタゴム座１６、コネクタ座金２１１を挟んだ状態で螺着されることで各ＦＰＣ間の接続がなされている。
【００４０】
上記ＦＰＣ保護カバー５６には、上記軸穴５６ａとＨ−ＦＰＣ１１０を通すための上記切り欠き５６ｂの他にその上下に回転規制用突起５６ｃが設けられる。回転規制用突起５６ｃは、後蓋開閉軸５５を挿通した状態で後カバー５１と後カバー内枠５２の端面部隙間に嵌入され、ＦＰＣ保護カバー５６を後カバー５１に対して回動しないように保持する。
【００４１】
上記後カバーユニット５は、ビス２０３を後カバー内枠５２を挿通させ、カメラ本体１を挟持した状態で前カバー内枠４２のビス穴部４２ｆに螺着することによって、前カバーユニット４に固着される。
【００４２】
上記後蓋ユニット６は、上述したように後蓋開閉軸５５を介して後カバーユニット５に開閉駆動可能に支持され、閉状態でカメラ本体１のアパーチャ部１ａとパトローネ室１ｂ，スプール室１ｃの開口部とを開閉するユニットである。
【００４３】
後蓋ユニット６は、図１，７，８等に示すように金属板からなる外装部材である後蓋６１と、合成樹脂部材からなる後蓋取り付け部材であって、後蓋６１の内側に接着固定される後蓋内枠６２と、後蓋内枠６２に設けられる電池室６２ｄを開閉する電池蓋９１と、電池蓋９１の内側に接着固定される電池蓋内枠９２と、電池蓋９１を電池蓋内枠９２を介して開閉駆動自在に支持する回動軸９４と、圧板６７と、先端部に回転可能なフィルムガイドローラが取り付けられるフィルムガイド板７１と、ＦＰＣ押さえ板６６と、ＡＴ−ＦＰＣ（後蓋用ＦＰＣ）１１１と、ＬＣＤ窓８１からの漏光を防止するＬＣＤ窓用遮光部材６４と、パトローネ観察窓部材７６と、ファインダ接眼窓８５と、ＬＣＤ窓８１と、モードスイッチ操作釦８３と、リワインドスイッチ操作板８４と、上記スイッチ操作釦等を保持し、付勢する釦保持ゴム８２と、Ｈ−ＦＰＣ（接続用ＦＰＣ）１１０のための挿通保護用ＦＰＣガイドゴム７５と、後蓋内枠６２側の遮光，防水用ゴム製パッキング６３と、電池蓋内枠９２側の遮光，防水用ゴム製パッキング９３等を有してなる。
なお、上記ＡＴ−ＦＰＣ（後蓋用ＦＰＣ）１１１には、電気要素である＋，−電池接片９６，９５，モードスイッチ，ＬＣＤ６５，サブＣＰＵ１４０，水晶発振子等が実装される。
【００４４】
上記後蓋６１は、閉状態にあるときアパーチャ部１ａと平行な外装面を有してなり、上方部にファインダ接眼窓用の開口６１ａと、中央部にＬＣＤ窓，スイッチ操作釦用の開口６１ｂと、右側部に電池蓋用開口６１ｃが設けられる。
【００４５】
後蓋６１の上記開口６１ｂには、背面側からＬＣＤ窓８１とモードスイッチ操作釦８３やリワインドスイッチ操作板８４が挿入される保持ゴム８２とが背面側から接着により装着される。
【００４６】
上記後蓋内枠６２には、上方部にファインダ接眼窓８５が接着される開口６２ａと、中央部にＬＣＤ，スイッチ釦配設用の開口６２ｂと、右部に設けられ、背面側に開口する電池室６２ｄと、電池室６２ｄの下方部に設けられる係止部６２ｊと、上記電池室６２ｄの左側に隣接し、パトローネ観察窓部材７６が挿入固着される観察窓開口部６２ｇと、右端部に上下方向（Ｙ方向）に沿って所定寸法離間する後蓋開閉軸５５嵌入用上下軸受け部６２ｃと、電池室６２ｄの上部位置に軸受け部６２ｃの軸方向に直交する方向（Ｘ方向）に沿った電池蓋回動軸９４嵌入用左右軸受け部６２ｅ，６２ｆと、左端部に前方に向けて突出する後蓋係止爪６２ｎとが設けられる。さらに、内部の観察窓開口部６２ｇの下方位置にＨ−ＦＰＣ１１０とＡＴ−ＦＰＣ１１１を電気的に接続するための接続端子台部６２ｋが設けられる。
【００４７】
上記電池室６２ｄ内には、その上，下位置にＡＴ−ＦＰＣ１１１に実装された−側電池接片９５と＋側電池接片９６とが配置される。
【００４８】
上記パッキング６３は、後蓋内枠６２の周囲にて後カバー内枠５２側に露呈するように接着保持され、後蓋ユニット６の閉鎖状態で後カバー内枠５２の周囲の圧接面に圧接されることにより、後蓋ユニット６と後カバーユニット５との間を遮光、防水する。
【００４９】
上記軸受け部６２ｅ，６２ｆは、後蓋内枠６２の右方上部位置に設けられる左右方向（Ｘ方向）に貫通する軸受け穴であり、電池蓋９１用の回動軸９４が嵌入する。
【００５０】
上記後蓋内枠６２の軸受け部６２ｅ，６２ｆ周りを成形する金型には、図９に示すＺ方向を型割方向とする金型Ａ１５１、および、金型Ｂ１５２と、Ｘ方向にスライドするスライド型１５３からなる金型を適用する。金型Ａ１５１と、金型Ｂ１５２によって一方の軸受け部６２ｅが形成され、スライド型１５３によって他方の軸受け部６２ｆが形成される。
【００５１】
上記電池蓋内枠９２は、中央に開口９２ａを持つ枠部材であって上部にＸ方向に沿った回動軸穴９２ｂを有し、先端部には、係止爪９２ｃが設けられる。
【００５２】
上記電池蓋９１は、電池内枠９２の外側に接着剤で固着される。この電池蓋９１は、回動軸と直交する方向に沿って、円弧の面で形成される外形面を有しており、電池蓋閉状態においては、後蓋６１の右側外郭面より上下方向に沿って膨らんだ凸面を形成し、カメラの背面側のグリップ部となる。
【００５３】
上記電池蓋内枠９２を後蓋内枠６２に回動可能に装着するには、図１０，１１，１２に示すように電池蓋内枠９２の軸受け部９２ｂを後蓋内枠６２の軸受け部６２ｅ，６２ｆの間に挿入した状態に保持して、回動軸９４をＸ方向に沿って軸受け部６２ｅ側から軸受け部９２ｂ、さらに軸受け部６２ｆに挿通し、嵌入させる。上記回動軸９４の嵌入によって電池蓋９１と電池内枠９２は、回動軸９４の回りに上下方向に開閉回動可能に支持される。
なお、上記回動軸９４には、軸受け部６２ｅの外部に露出する部分には、分解時にピンセットで掴むための溝９４ａが設けられる。
【００５４】
電池蓋９１の閉状態では、電池内枠９２の係止爪９２ｃが後蓋内枠６２の係止部６２ｊで係止され、電池蓋９１は、閉状態に保持される。
【００５５】
上記パッキング９３は、電池蓋内枠９２の周囲に後蓋内枠６２側に露呈するように接着保持され、電池蓋９１の閉鎖状態で後蓋内枠６２の周囲圧接面に圧接されることにより、電池蓋内枠９２と後蓋内枠６２との間を遮光、防水する。
【００５６】
後蓋内枠６２の開口部６１ｂの内側には、ＬＣＤ窓用遮光部材６４と、ＡＴ−ＦＰＣ１１１とが重ねて取り付けられる（図５，７，１５）。さらに、上記ＡＴ−ＦＰＣ１１１の上を上記ＦＰＣ押さえ板６６で覆い、ビス２０５，２０６を挿通させて後蓋内枠６２に螺着して固定する。但し、上記ビス２０５は、後蓋内枠６２のナット挿入部６２ｉ，６２ｈに挿入されたナット２０７に螺着されるものとする。
【００５７】
なお、上記ナット２０７の１つには、後蓋６１側と接触可能な金属ワッシャが付されており、ビス２０７の挿入によって後蓋６１側がＦＰＣ押さえ板６６と電気的接触状態となり、アース接続される。
【００５８】
上記ＦＰＣ押さえ板６６の固定に際して、圧板バネ６８で付勢される圧板６７を予めＦＰＣ押さえ板６６に係止させた状態として上記ＦＰＣ押さえ板６６の固定を行う。また、後蓋内枠６２の内面左側には、フィルムガイド板７１が固定される。
【００５９】
さらに、後蓋内枠６２のＦＰＣ挿通穴６２ｍには、上記Ｈ−ＦＰＣ１１０がＦＰＣガイドゴム７５を介して挿通し、挿入される。そのＨ−ＦＰＣ１１０の先端の接続パターン部１１０ｃは、後述する三角柱上空間Ｓ０　に配設される接続端子台部６２ｋにてＡＴ−ＦＰＣ１１１の先端の２重接続パターン部１１１ａと重畳させて、ビス２１２により固着、接続される。
【００６０】
上記Ｈ−ＦＰＣ１１０，ＡＴ−ＦＰＣ１１１の接続パターン部接続後、上記接続パターン部１１０ｃと１１１ａがＦＰＣカバー板７４で覆われ、さらに、ＡＴ−ＦＰＣ１１１に実装されるサブＣＰＵ１４０や電気素子１４１がＦＰＣ押さえ板６６の右方突出部６６ａで覆われた状態で上記接続部や電気要素が後蓋内枠６２内に組み込まれる（図６，４）。なお、上記組み込み状態では、ＦＰＣカバー板７４の一端は、ＦＰＣ押さえ板６６の押さえ６６ｂで押さえ付けられる。
【００６１】
また、後蓋内枠６２の観察窓開口部６２ｇには、パトローネ観察窓部材７６が内面側から挿入され、その内側周囲に遮光用パトローネモルト７７が装着される。
【００６２】
上述した各部材が組み込まれた後蓋内枠６２と接着固定された後蓋６１からなる後蓋ユニット６は、カメラ本体１に装着されている後カバーユニット５に対して、前述したように後カバー内枠５２の軸受け部５２ｃ，５２ｂと、その外側に嵌入される後蓋内枠６２の軸受け部６２ｃとを挿通する後蓋開閉軸５５によって開閉回動自在に支持される。
【００６３】
ここで、上述したカメラ本体１と後カバーユニット５と後蓋ユニット６の組み付け状態におけるパトローネ室１ｂ周りの配置について図４〜６を用いて説明する。
【００６４】
前述したように上記パトローネ室１ｂに装填されたパトローネ１４３のフィルムガイド部１４３ａが後カバー内枠５２の突起５２ｆと後蓋ユニット６側のＦＰＣ押さえ板６６の右方突出部６６ａとＦＰＣカバー板７４との間に配される。上記ＦＰＣ押さえ板６６の右方突出部６６ａとＦＰＣカバー板７４は、アパーチャ１ａと平行な圧板６７の右端部から後蓋内枠６２の電池室６２ｄの裏面部位置まで上記フィルムガイド部１４３ａに沿った状態でレンズ光軸Ｏと直交する面に対して傾斜して配置されている。したがって、後蓋内枠６２の圧板６７右側内面部であって、電池室６２ｄ外側面と後蓋内枠６２内面と上記右方突出部６６ａおよびＦＰＣカバー板７４とで覆われた部分に上下方向（Ｙ方向）に沿った三角柱空間Ｓ０　ができる（図４〜６）。この三角柱空間Ｓ０　の中央部分がパトローネ観察窓７６の配置部分となり、その上下空間部分が電気要素収納部となる。
【００６５】
そして、上記三角柱空間Ｓ０　に収納される電気要素としては、パトローネ観察窓７６の上方部位置にＡＴ−ＦＰＣ１１１のサブＣＰＵ１４０や抵抗器や水晶発振子等の電気部品１４１が配置され、さらに、下方部位置に接続端子台６２ｋと装着されるＡＴ−ＦＰＣ１１１の２重接続パターン部１１１ａとＨ−ＦＰＣ１１０の接続パターン部１１０ｃが配置される。
【００６６】
次に、本実装形態のカメラ１０に内蔵される電気回路について、図１３の電気回路のブロック構成図により説明する。
本実装形態のカメラ１０の電気回路は、カメラ本体１に収納されるカメラ本体側電気回路部１００Ａと、後蓋ユニット６に収納される後蓋側電気回路部１１１Ａと、上記回路部間を接続する接続回路部１１０Ａとからなる。
【００６７】
上記カメラ本体側電気回路部１００Ａに内蔵される制御回路であるＣＰＵ１２１は、本カメラ１０の全体の制御を司る。
【００６８】
上記ＣＰＵ１２１にはレリーズ釦５３で操作される１ｓｔ．レリーズ検知スイッチ３２５および２ｎｄ．レリーズ検知スイッチ３２４と、周囲光測定回路３１１と、測距回路３１０と、ストロボ回路３１２と、シャッタ制御回路３２１と、セクタ位置検知スイッチ１３７と、ＤＸコード入力回路３０１と、フィルム給送回路３０２と、フィルム給送状態検知回路３０４と、モータ駆動回路３０５と、レンズ移動状態検知回路３０８との各制御信号ラインが接続されている。さらに、ＣＰＵ１２１には、上記後蓋側電気回路部１１１Ａとの通信制御ラインが接続される。
【００６９】
上記シャッタ制御回路２３１は、ＣＰＵ１２１からの露光制御信号に基づいてシャッタモータ３２２を駆動制御する。シャッタモータ３２２は、セクタ（シャッタ羽根）３２３を駆動し、フィルムの露光を実行する。なお、上記セクタ３２３の開位置は、セクタ位置検知スイッチ１３７によって検出される。
【００７０】
上記ストロボ回路３１２は、ストロボ発光部１３２を発光させるための回路であって、ＣＰＵ１２１からのストロボ発光制御信号によってストロボ発光部１３２の発光光量を制御するとともに、ストロボ発光エネルギーを貯えるためのメイン，サブコンデンサ１３３ヘの充電制御を行う。
【００７１】
上記周囲光測定回路３１１は、測光素子１２２に入射した被写体付近の光の光量出力を取り込み、カメラの露出条件を決定するための被写体輝度を測定する。
【００７２】
上記測距回路３１０は、ＩＲＥＤ（赤外発光ダイオード）３１３および光位置検出素子３１６を有している。上記ＩＲＥＤ３１３からの光が投光レンズ３１４を介して被写体４０１に照射される。上記被写体４０１からの反射光を受光レンズ３１５を介して光位置検出素子３１６にて受光することにより、カメラ１０から被写体４０１までの距離が測距回路３１０にて測定される。
【００７３】
上記モータ駆動回路３０５は、ＣＰＵ１２１からのズーム駆動制御信号に基づいてズームモータ３０６を駆動する。上記ズームモータ３０６は、ギヤ機構３０７を介して、撮影レンズ２４を進退駆動し、ズーミングを行う。
【００７４】
上記フィルム給送回路３０２は、フィルム給送モータ３０３を駆動するための回路である。上記フィルム給送回路３０２を介してフィルム給送モータ３０３がＣＰＵ１２１の制御のもとで駆動されると、ギヤ列を介してパトローネ１４３内に巻回されているフィルムがスプール軸１１に巻き上げられる。巻き戻し時には、フィルムは、パトローネ１４３側に巻き戻される。
【００７５】
上記フィルム給送状態検知回路３０４は、フィルムに形成されたパーフォレーションの通過を検出し、フィルムの給送状態を検知する。そのフィルム給送状態検知信号は、ＣＰＵ１２１に取り込まれる。
【００７６】
上記ＤＸコード入力回路３０１は、装填されたパトローネ１４３に記録されているＤＸコードを読み取る。このＤＸコード信号は、ＣＰＵ１２１に送られて、該パトローネ１４３内のフィルムのＩＳＯ感度情報や駒数等が識別される。
【００７７】
上記後蓋側電気回路部１１１Ａは、モード設定スイッチ等を有するモード設定回路３２６と、ＬＣＤ６５を有するＬＣＤ表示回路３２７と、電池１４２からなる電源部３２８と、さらに、後蓋側電気回路部を制御するサブＣＰＵ１４０（図１５）を有してなる。
【００７８】
上記モード設定回路３２６は、後蓋ユニット６に内蔵されるモード設定スイッチを含み、モード設定信号をＣＰＵ１２１に出力する。
【００７９】
上記ＬＣＤ表示回路３２７は、後蓋ユニット６に内蔵されるＬＣＤ（液晶表示素子）６５を含み、カメラ１０のモード表示、駒数表示などを表示する。
【００８０】
上記電源部３２８は、装填された電池１４２の出力を各電気要素に供給する出力部を有している。
【００８１】
上記接続回路部１１０Ａは、後蓋側電気回路部１１１Ａのモード設定回路３２６，ＬＣＤ表示回路３２７、および、電源部３２８の通信信号ラインおよび電力ラインをカメラ本体側のＣＰＵ１２１、または、各電気要素に接続するための接続回路部である。
【００８２】
次に、上述した図１３に示す本実施形態のカメラ１０の電気回路がそれぞれ実装される回路基板構成について、図１４，１５の回路基板の分解斜視図を用いて説明する。
【００８３】
上記電気回路のうち、カメラ本体側電気回路部１００Ａの各電気要素が実装される回路基板は、図１４に示すＭ−ＦＰＣ（メインＦＰＣ）１０１と、ＷＤ−ＦＰＣ（フィルム給送用ＦＰＣ）１０２と、Ｆ−ＦＰＣ（ファインダ用ＦＰＣ）１０３と、ＳＴ−ＰＣ（ストロボ用硬質基板）１０４と、Ｃ−ＦＰＣ（コンデンサ用ＦＰＣ）１０５と、Ｋ−ＦＰＣ（シャッタ駆動用ＦＰＣ）１０６と、ＴＷ−ＦＰＣ（鏡枠テレワイド位置検出用ＦＰＣ）１０７と、ＺＰＩ−ＦＰＣ（ズームモータフォトインタラプタ用ＦＰＣ）１０８と、ＤＸ−ＦＰＣ（フィルムＤＸ用ＦＰＣ）１０９とからなる。
【００８４】
さらに、上記電気回路のうち、後蓋側電気回路部１１１Ａの各電気要素は、ＡＴ−ＦＰＣ（後蓋用ＦＰＣ）１１１に実装され、接続回路部１１０Ａは、Ｈ−ＦＰＣ（接続用ＦＰＣ）１１０からなる。
【００８５】
上記Ｍ−ＦＰＣ１０１は、カメラ本体１の上部からカメラ右側前面にかけて配置されるメイン回路部が実装される両面実装ＦＰＣであって、カメラ全体を制御するＣＰＵ１２１やＡＥ（自動露出制御用）測光素子１２２等の電気要素が実装され、さらに、基板間の電気接続用の接続パターン部であって、円周に沿った複数の接点部を有する１つの２重接続パターン部１０１ａ、および、隣接する２つの２重接続パターン部１０１ｃ，１０１ｅが設けられている。
なお、上記接続パターン部１０１ａ、および、接続パターン部１０１ｃ，１０１ｅのそれぞれの外側位置にパターン位置決め用ピン穴１０１ｂ、および、１０１ｄ，１０１ｆがそれぞれ２個ずつ設けられる。
【００８６】
上記２重接続パターン部１０１ａは、カメラ本体１の上部の接続端子台（図示せず）に取り付けられ、後述する他の基板の接続パターン部と電気的接続を行う。上記接続パターン部１０１ｃ，１０１ｅは、カメラ本体１のコンデンサ室１ｄ内周に沿った接続端子台１ｆに取り付けられ、後述する他の基板の接続パターン部と電気的接続を行う。
【００８７】
上記ＷＤ−ＦＰＣ１０２は、カメラ本体１の底部に収納され、フィルム給送状態検知回路３０４等が実装される片面実装ＦＰＣであって、フィルム給送モータ回転検出ＰＩ（フォトインタラプタ）であるＤＰＩ１２３と、フィルム給送量検出ＰＲ（フォトリフレクタ）でるＷＰＲ１２４と、デート写し込みＬＥＤであるＤＬＥＤ１２５と、後蓋開閉検出スイッチであるＢＫＳＷ１２６と、バリアの開閉状態を検出して本カメラの電源のオンオフを行うバリアスイッチであるＢＲＳＷ１２７と、撮影モードがパノラマモードであるか、ノーマルモードであるかを検出するパノラマスイッチであるＰＮＳＷ１１５等が実装され、さらに、近接して配置され、円周に沿った複数の接点部を有する接続パターン部１０２ａ，１０２ｃと、その位置決めピン穴１０２ｂ，１０２ｄが接続パターン部１０２ａ，１０２ｃの周囲にそれぞれ２個ずつ設けられている。
【００８８】
上記Ｆ−ＦＰＣ１０３は、ファインダユニット３に収納される片面実装ＦＰＣであって、測距回路３１０を内蔵するＡＦ（自動合焦用）モジュール１２８が実装され、さらに、円周に沿った複数の接点部を有する２重接続パターン部１０３ａと、その周囲に位置決めピン穴１０３ｂが２個設けられている。また、ＦＬＬ−ＦＰＣ（ファインダＬＣＤ表示用ＦＰＣ）１１２と、ＦＬＦ−ＦＰＣ（Ｆ−ＦＰＣ接続用のＦＰＣ）１１３とが接続される。すなわち、上記ＦＬＬ−ＦＰＣ１１２には、ファインダ内表示用ＬＣＤ１２９とＦＬＦ−ＦＰＣ１１３が熱圧着され、上記ＦＬＦ−ＦＰＣ１１３は、Ｆ−ＦＰＣ１０３と半田接続される。
【００８９】
上記ＳＴ−ＰＣ１０４は、ストロボユニット１２に収納され、ストロボ回路３１２が実装される両面実装の硬質基板であって、Ｍ−ＦＰＣ１０１のストロボ回路コネクタ部１０１ｇがコネクタ部１０４ａを介して接続される。そして、ＳＴ−ＰＣ１０４にはストロボ制御素子１３０が実装され、接続ランド１０４ｂ，１０４ｃにてリード線１３４，１３９を介してコンデンサ１３３、および、Ｈ−ＦＰＣ１１０が半田接続される。さらに、トリガ用トランス１３１とストロボ発光部１３２がリード線を介して接続される。
【００９０】
上記Ｃ−ＦＰＣ１０５は、片面実装のＦＰＣであって、ストロボ用の２つのコンデンサ１３３が実装され、リード線１３４が半田付けされる。
【００９１】
上記Ｋ−ＦＰＣ１０６は、片面実装のＦＰＣであって、セクタ（シャッタはね）位置検出スイッチ１３７などのシャッタ駆動用の電気部品やフォーカス駆動用の電気部品などが実装され、さらに、円周に沿った複数の接点部を有する接続パターン部１０６ａと、その位置決めピン穴１０６ｂが設けられている。
【００９２】
上記ＴＷ−ＦＰＣ１０７は、上記レンズ移動状態検知回路３０８が実装される片面実装のＦＰＣであって、レンズ鏡筒のズームテレ位置検出素子であるＺＴＰＲ１３６と、ズームワイド位置検出素子であるＺＷＰＲ１３７とが実装され、さらに、円周に沿った複数の接点部を有する接続パターン部１０７ａと、その位置決めピン穴１０７ｂが設けられている。
【００９３】
上記ＺＰＩ−ＦＰＣ１０８は、ズームモータ３０６の回転検出回路が実装される片面実装のＦＰＣであって、ズームモータの回転検出素子であるＺＰＩ１３８が実装され、さらに、複数の接点部を有する接続パターン部１０８ａと、その位置決めピン穴１０８ｂが設けられている。
【００９４】
上記ＤＸ−ＦＰＣ１０９は、ＤＸコード入力回路が実装される片面実装のＦＰＣであって、ＤＸ接続片１５と接触するデータ検出パターン部と、円周に沿った複数の接点部を有する接続パターン部１０９ａと、その位置決めピン穴１０９ｂが設けられている。
【００９５】
上記Ｈ−ＦＰＣ１１０は、図１５に示すように接続回路部１１０Ａを構成する両面実装ＦＰＣであって、Ｍ−ＦＰＣ１０１に対するＡＴ−ＦＰＣ１１１側のサブＣＰＵ１４０やＬＣＤ６５やモード設定スイッチ，巻き戻しスイッチの通信信号ラインや、装填された電池１４２の電力をカメラ本体１側に供給する給電ラインを有する接続用電気部材である。上記Ｈ−ＦＰＣ１１０には一端部に円周に沿った複数の接点部を有する２重接続パターン部１１０ａおよびその位置決めピン穴１０９ｂが設けられ、他端部に円周に沿った複数の接点部を有する接続パターン部１１０ｃとその位置決めピン穴が設けられている。
【００９６】
上記ＡＴ−ＦＰＣ１１１は、図１５に示すように後蓋電気回路部１１１Ａが実装される両面実装ＦＰＣであって、＋側電池接片９６と、−側電池接片９５と、パワースイッチ部（図示せず）と、モードスイッチ群（図示せず）と、ＬＣＤ６５と、サブＣＰＵ１４０と、他の電気素子１４１等が実装されており、さらに、複数の接点部を有し、２重接続パターン部１１０ａと位置決めピン穴が設けられている。
【００９７】
次に、上述した各回路基板間の接続について説明する。
上記Ｍ−ＦＰＣ１０１に接続パターン部１０１ａ側で接続される回路基板の接続パターンは、Ｆ−ＦＰＣ１０３の接続パターン１０３ａと、Ｋ−ＦＰＣ１０６の接続パターン１０６ａと、ＴＷ−ＦＰＣ１０７の接続パターン１０７ａである。上記接続パターン部１０１ａとそれに接続される上記各接続パターン部は、カメラ本体１の上部に設けられる接続端子台（図示せず）に重ねてセットされ、位置決めピンで位置決めされ、ゴム座，座金を介してビスの螺着により圧接して接続される。
【００９８】
一方、Ｍ−ＦＰＣ１０１に接続パターン部１０１ｃ，１０１ｅのうち、接続パターン部１０１ｃ側に接続される各回路基板の接続パターン部は、ＷＤ−ＦＰＣ１０２の接続パターン部１０２ａと、Ｈ−ＦＰＣ１１０の接続パターン部１１０ａである。また、接続パターン部１０１ｅ側に接続される各回路基板の接続パターン部は、ＷＤ−ＦＰＣ１０２の接続パターン部１０２ｃと、ＺＰＩ−ＦＰＣ１０８の接続パターン１０８ａと、ＤＸ−ＦＰＣ１０９の接続パターン１０９ａである。
【００９９】
上記接続パターン部１０１ｃ，１０１ｅと、接続される上記各接続パターン部とは、カメラ本体１の右前側部に設けられる接続端子台１ｆ上に互いに重畳させ、位置決めピンで位置決めされ、かつ、コネクトゴム座１６，コネクト座金２０９，２１１を介在させた状態でビス２０８，２１０をビス穴１ｇ，１ｈに螺着して固着し、接続状態とする（図１，６）。
【０１００】
また、Ｈ−ＦＰＣ１１０の接続パターン部１１０ｃは、ＡＴ−ＦＰＣ１１１の接続パターン部１１１ａと接続されるが、その接続は、後蓋ユニット６の電池室６２ｄとＦＰＣ押さえ板６６の間の上記三角柱空間Ｓ０　に設けられる接続端子台６２ｋ上にて互いに重畳させ、位置決めピンにより位置決めされ、さらに、コネクトゴム座７２，コネクト座金２１３を介在した状態でビス２１２をビス穴に螺着して固着し、接続状態とする（図６，７）。
【０１０１】
上述したように本実施形態のカメラ１０においては、図２，３に示すようにカメラ背面側にフィルムパトローネ１４３を装填，取り出しするための開閉可能な後蓋ユニット６が配置されている。その後蓋ユニット６の中央部にＬＣＤ窓８１とモードスイッチ釦８３等が配され、上部にファインダ接眼窓８５が配される。さらに、後蓋ユニット６には、回動軸となる後蓋開閉軸５５側に電池蓋９１付き電池室６２ｄが配置されている。上記電池蓋９１は、後蓋開閉軸５５と直交する方向の回動軸９４に支持されており、上方向に回動させると電池室６２ｄを開放することができる。
【０１０２】
上記電池蓋９１の外形は、後蓋ユニット６の右方背面部の上下方向に沿った凸部を形成するので、閉状態にある電池蓋９１は、本カメラ１０を右手でホールドするときのカメラ背面側のグリップ部（保持部）としても機能し、ホールド時には右手親指が電池蓋９１の側方に掛けられる。
【０１０３】
また、後蓋ユニット６には、ＬＣＤ６５とモード設定スイッチ等が実装されるＡＴ−ＦＰＣ１１１が組み込まれている。後蓋ユニット６の内面部に後蓋ユニット６の電池室６２ｄと圧板６７端部との間に生じる後蓋内壁面と電池室の外壁面とパトローネのフィルムガイド部とで囲われる三角柱空間Ｓ０　には、上記ＡＴ−ＦＰＣ１１１に実装される電気要素であるサブＣＰＵ１４０等が収納され、さらに、ＡＴ−ＦＰＣ１１１の接続用ＦＰＣであるＨ−ＦＰＣ１１０との接続のための接続端子台６２ｋとその接続部も収納される。
【０１０４】
また、後蓋開閉軸５５上の一部にＦＰＣ保護カバー５６を配置し、ＦＰＣ保護カバー５６の内側に上記ＡＴ−ＦＰＣ１１１とＭ（メイン）−ＦＰＣ１０１間の電気的接続用Ｈ−ＦＰＣ１１０を挿通させている。
【０１０５】
上述した本実装形態のカメラ１０によれば、後蓋ユニット６内部に生じる上記三角柱空間Ｓ０　を電気要素収納部として利用し、ＡＴ−ＦＰＣ１１１に実装される電気要素やＡＴ−ＦＰＣ１１１の接続用の接続端子台とその接続部を収納することによりカメラのコンパクト化が可能となる。
【０１０６】
【発明の効果】
上述したように本発明のカメラによると、カメラの開閉可能な蓋部材とパトローネ室との間の略三角柱形状の空間にカメラの電気回路を構成する各電気要素を収納することによりカメラの小型化が可能となる。
【図面の簡単な説明】
【図１】本発明の一実施形態であるカメラの要部の分解斜視図である。
【図２】上記図１のカメラの背面下方側から見た斜視図であって、電池蓋を閉じた状態を示す。
【図３】上記図１のカメラの背面上方側から見た斜視図であって、電池蓋を開放した状態を示す。
【図４】上記図１のカメラのレンズ光軸より上方部での横断面図である。
【図５】上記図１のカメラのレンズ光軸を通る中央部の横断面図である。
【図６】上記図１のカメラのレンズ光軸より下方部での右（背面側から見て）部分横断面図である。
【図７】上記図１のカメラを構成する後蓋ユニットを前面側から見た分解斜視図である。
【図８】上記図１のカメラを構成する後蓋ユニットを背面側から見た分解斜視図である。
【図９】上記図７の後蓋ユニットを構成する後蓋内枠の軸受け部回りの成形金型の形割図である。
【図１０】上記図７の後蓋ユニットを構成する後蓋内枠に電池蓋，電池内枠を組み付ける手順を示す図である。
【図１１】上記図７の後蓋ユニットを構成する後蓋内枠に電池蓋，電池内枠を組み付ける手順を示す図である。
【図１２】上記図７の後蓋ユニットを構成する後蓋内枠に電池蓋，電池内枠を組み付ける手順を示す図である。
【図１３】上記図１のカメラに内蔵される電気回路のブロック構成図である。
【図１４】上記図１３の電気回路のうち、カメラ本体側電気回路の各回路基板の分解斜視図である。
【図１５】上記図１３の電気回路のうち、後蓋側電気回路の回路基板と、接続用回路基板との分解斜視図である。
【符号の説明】
１ａ…アパーチャ部
１ｂ…パトローネ室
６　…後蓋ユニット（蓋部材）
６１…後蓋（蓋部材）
６２…後蓋内枠（蓋部材）
７６…観察窓部材（観察窓）
１１０ｃ，１１１ａ
…接続パターン部（電気基板の接続部）
１４３…パトローネ
（フィルムパトローネ，
１３５型フィルムパトローネ）
１４３ａ
…フィルムガイド部
１４３ｂ
…フィルム送出口
Ｓ０　…三角柱状の空間（電気要素収納部）
【図１】
2004020864.tif 000003
【図２】
2004020864.tif 000004
【図３】
2004020864.tif 000005
【図４】
2004020864.tif 000006
【図５】
2004020864.tif 000007
【図６】
2004020864.tif 000008
【図７】
2004020864.tif 000009
【図８】
2004020864.tif 000010
【図９】
2004020864.tif 000011
【図１０】
2004020864.tif 000012
【図１１】
2004020864.tif 000013
【図１２】
2004020864.tif 000014
【図１３】
2004020864.tif 000015
【図１４】
2004020864.tif 000016
【図１５】
2004020864.tif 000017